(57)【要約】      （修正有）【課題】左側用と右側用の判別が容易で、かつ、容器を確実に保持し得るドリンクホルダーを提供する。【解決手段】ケーシング３と固定水平軸部と可動引出部材２と回転体５とを備え、ガイド筒部２１に固定水平軸部を挿通すると共に回転体５を可動引出部材２に回転自在に保持させる。固定水平軸部は、先端部近傍に２個の小凸部を有し、かつ、ガイド筒部２１の内周面に螺旋状凹溝部が形成される。可動引出部材２が収納状態から引出される際、小凸部に対して凹溝部が摺接して回転体５が９０度回転しつつ引出し状態となって枠部２０が左右一側方に偏在して水平状姿勢となる。可動引出部材２が引出し状態から収納される際、小凸部に対して凹溝部が摺接して回転体５を逆方向に９０度回転させ収納状態で枠部２０が鉛直状姿勢となるように構成されている。【選択図】図２
2015039533.tif 000002
【特許請求の範囲】
【請求項１】
隣り合う遊技機（Ｐ）（Ｐ）の間に配設された間柱（５０）に装着されるドリンクホルダーであって、
前方開口部（６）を有する縦長直方体形状のケーシング（３）と、該ケーシング（３）に内設される固定水平軸部（１）と、上記ケーシング（３）に収納自在に上記前方開口部（６）から装入される可動引出部材（２）と、容器保持用枠部（２０）にガイド筒部（２１）が延設された略Ｐ字形状の回転体（５）とを、備え、上記ガイド筒部（２１）に上記固定水平軸部（１）を挿通すると共に上記回転体（５）を上記可動引出部材（２）に回転自在に保持させ、
上記固定水平軸部（１）は、先端部（１Ａ）近傍に２個の小凸部（１１）（１１）を有し、かつ、上記ガイド筒部（２１）の内周面に螺旋状凹溝部（２２）（２２）が形成され、
上記可動引出部材（２）が収納状態から引出される際、上記小凸部（１１）（１１）に対して上記凹溝部（２２）（２２）が摺接して上記回転体（５）が９０度回転しつつ引出し状態となって上記枠部（２０）が左右一側方に偏在して水平状姿勢となり、上記可動引出部材（２）が上記引出し状態から収納される際、上記小凸部（１１）（１１）に対して上記凹溝部（２２）（２２）が摺接して上記回転体（５）を逆方向に９０度回転させ収納状態で上記枠部（２０）が鉛直状姿勢となるように構成されたことを特徴とするドリンクホルダー。
【請求項２】
上記可動引出部材（２）の下部に、容器下部支持用の揺動アーム部（４）が水平面内で揺動自在に取着され、
上記可動引出部材（２）が上記収納状態から引出される際、上記揺動アーム部（４）が上記左右一側方に揺動して上記容器保持用枠部（２０）の下方位置に展開するように構成されている請求項１記載のドリンクホルダー。
【請求項３】
上記可動引出部材（２）の左右両側に上記揺動アーム部（４）を付替可能とし、左側用と右側用の両方向で使用可能として構成されている請求項２記載のドリンクホルダー。
【発明の詳細な説明】
【技術分野】
【０００１】
本発明は、ドリンクホルダーに関する。
【背景技術】
【０００２】
従来、パチンコ機やスロットマシン等の遊技機の間柱に配設され、飲料用のカップや缶、又は、ペットボトル等の容器を保持するドリンクホルダーが提案されている（特許文献１参照）。
【先行技術文献】
【特許文献】
【０００３】
【特許文献１】特開２００９−２０１９１７号公報
【発明の概要】
【発明が解決しようとする課題】
【０００４】
しかし、従来のドリンクホルダーは、容器を保持するリング状部材が、左右方向中央位置に配置され、左側用と右側用の区別が無かった。よって、遊技機の使用者が、どちら側のドリンクホルダーを使用すれば良いのか判らずに、間違って使用してしまう虞れがあった。また、例えば、パチンコ機の操作部が右端に設けられている場合、容器が間柱から左側に食みだしていると、操作の邪魔になるという欠点があった。
また、リング状部材の高さが低く、ペットボトル等の背の高い容器を確実に保持することができないという欠点があった。
【０００５】
そこで、本発明は、左側用と右側用の判別が容易で、かつ、容器を確実に保持し得るドリンクホルダーを提供することを目的とする。
【課題を解決するための手段】
【０００６】
本発明に係るドリンクホルダーは、隣り合う遊技機の間に配設された間柱に装着されるドリンクホルダーであって、前方開口部を有する縦長直方体形状のケーシングと、該ケーシングに内設される固定水平軸部と、上記ケーシングに収納自在に上記前方開口部から装入される可動引出部材と、容器保持用枠部にガイド筒部が延設された略Ｐ字形状の回転体とを、備え、上記ガイド筒部に上記固定水平軸部を挿通すると共に上記回転体を上記可動引出部材に回転自在に保持させ、上記固定水平軸部は、先端部近傍に２個の小凸部を有し、かつ、上記ガイド筒部の内周面に螺旋状凹溝部が形成され、上記可動引出部材が収納状態から引出される際、上記小凸部に対して上記凹溝部が摺接して上記回転体が９０度回転しつつ引出し状態となって上記枠部が左右一側方に偏在して水平状姿勢となり、上記可動引出部材が上記引出し状態から収納される際、上記小凸部に対して上記凹溝部が摺接して上記回転体を逆方向に９０度回転させ収納状態で上記枠部が鉛直状姿勢となるように構成されたものである。
【０００７】
また、上記可動引出部材の下部に、容器下部支持用の揺動アーム部が水平面内で揺動自在に取着され、上記可動引出部材が上記収納状態から引出される際、上記揺動アーム部が上記左右一側方に揺動して上記容器保持用枠部の下方位置に展開するように構成されているものである。
また、上記可動引出部材の左右両側に上記揺動アーム部を付替可能とし、左側用と右側用の両方向で使用可能として構成されているものである。
【発明の効果】
【０００８】
本発明のドリンクホルダーによれば、引出し状態で、容器保持用枠部が、左側方か右側方のどちらか一方に偏在して、左側用か右側用かを容易に判別できる。よって、遊技機の使用者が、自分の使用すべき側のドリンクホルダーを正しく使用できる。また、狭小なスペースで区切られた隣接する遊技機間に於て、幅寸法を小さく設計でき、かつ、容器保持用枠部が隣の使用者の邪魔になることを防止できる。また、ペットボトル等の背の高い容器であっても、枠部が、容器の上下方向中間位置を包囲状に支持し、確実に保持できる。
【図面の簡単な説明】
【０００９】
【図１】本発明のドリンクホルダーの収納状態を示した斜視図である。
【図２】本発明のドリンクホルダーの引出し状態を示した斜視図である。
【図３】本発明のドリンクホルダーの分解図である。
【図４】本発明のドリンクホルダーの引出し状態を示した説明図であり、（ａ）は平面説明図であり、（ｂ）は正面説明図であり、（ｃ）は一部破断側面説明図である。
【図５】本発明のドリンクホルダーの作用を説明するための図であり、（ａ）は一部破断平面図であり、（ｂ）一部破断斜視図である。
【図６】本発明のドリンクホルダーの作用を説明するための図であり、（ａ）は一部破断平面図であり、（ｂ）一部破断斜視図である。
【図７】本発明のドリンクホルダーの作用を説明するための図であり、（ａ）は一部破断平面図であり、（ｂ）一部破断斜視図である。
【図８】本発明のドリンクホルダーの作用を説明するための図であり、（ａ）は一部破断平面図であり、（ｂ）一部破断斜視図である。
【図９】本発明のドリンクホルダーが装着される遊技機の間柱を例示した正面図である。
【発明を実施するための形態】
【００１０】
以下、実施の形態を示す図面に基づき本発明を詳説する。
図９に示すように、本発明のドリンクホルダーＡは、隣り合う遊技機Ｐ，Ｐの間に配設された間柱５０に装着され、図例中央位置のドリンクホルダーＡのように、引出し状態とし、カップや缶、又は、ペットボトル等の大小様々な飲料用の容器Ｃを保持できるように構成されている。なお、一般的に、遊技機Ｐがパチンコ機である場合は、使用者は遊技機Ｐに向かって左側のドリンクホルダーＡを使用し、遊技機Ｐがスロットマシーンである場合は、使用者は遊技機Ｐに向かって右側のドリンクホルダーＡを使用する。
【００１１】
図１〜図３に示すように、本発明のドリンクホルダーは、前方開口部６を有する縦長直方体形状のケーシング３と、ケーシング３に内設される固定水平軸部１と、ケーシング３に収納自在に前方開口部６から装入される可動引出部材２と、容器保持用枠部２０にガイド筒部２１が延設された略Ｐ字形状の回転体５とを、備え、ガイド筒部２１に、固定水平軸部１を挿通すると共に回転体５を可動引出部材２に回転自在に保持させている。
【００１２】
ケーシング３は、２つの分割部品から成り、弾性爪の係合とビス止めにより分割部品を組合せて固着している。ケーシング３の左右両側壁には、前後方向のスリット部３０，３０が上下２箇所に形成されている。
固定水平軸部１は、基端部１Ｂがケーシング３の（２つの）分割部品間に挟まれて、ビスＢ，Ｂによって一体に固着されている。固定水平軸部１は、ケーシング３の内部にて、片持ち梁状に支持されている。
可動引出部材２は、前方突出状の把手２４が形成された前壁部２５と、上端に筒保持部２６が形成された後壁部２７とを、有し、前壁部２５と後壁部２７が下壁部２８によって連結されている。後壁部２７は、筒保持部２６の近傍で上下方向中間部に左右一対の突片２７Ａ，２７Ａを有し、下部に左右一対の突片２７Ｂ，２７Ｂを有している。ケーシング３に対して可動引出部材２の収納・引出しを行う際、中間部の突片２７Ａ，２７Ａは、ケーシング３の上側のスリット部３０に内方から挿入されてガイドされ、下部の突片２７Ｂ，２７Ｂは、ケーシング３の下側のスリット部３０に内方から挿入されてガイドされて、可動引出部材２が前後方向スライド自在に保持される。可動引出部材２は、回転体５の前端部を前壁部２５の後ろ面に枢着して連結すると共に、筒保持部２６にてガイド筒部２１を支持し、回転体５を回転自在に保持している。
【００１３】
固定水平軸部１は、先端部１Ａ近傍に、２個の小凸部１１，１１を有し、かつ、回転体５のガイド筒部２１の内周面に螺旋状凹溝部２２，２２が形成されている。
回転体５は、略Ｄ字状に形成された枠部２０と、枠部２０に一体状に連結されたガイド筒部２１とをもって、略Ｐ字形状となるように形成されている。ガイド筒部２１は、枠部２０に一体成形された第１半筒体２１Ａと、半筒体２１Ａと組合されて円筒を形成する第２半筒体２１Ｂとを、有し、第１半筒体２１Ａ・第２半筒体２１Ｂ間に内装される一対のガイド片１２，１２を具備している。ガイド片１２，１２は、同一形状の２枚の弯曲板片から成り、２枚を組み合わせると螺旋状のスリットが形成されるように構成されている。このガイド片１２，１２の凹面どうしを対面させて相互に非接触状に近接させ、第１半筒体２１Ａと第２半筒体２１Ｂの間に内装して、ガイド筒部２１の内周面に螺旋状凹溝部２２，２２が形成される。
凹溝部２２，２２は、ガイド筒部２１内で軸心を中心として回転対称位置に形成され、ガイド筒部２１の入口から出口までの間で、９０度捩じるように弯曲している。
【００１４】
可動引出部材２の下部には、容器下部支持用の揺動アーム部４が水平面内で揺動自在に取着されている。
揺動アーム部４は、基端部４Ｂの左右両側面に突起部１４を有し、かつ、基端部４Ｂに上下方向の孔部４０が形成されている。図１〜図３に於て、揺動アーム部４は、可動引出部材２の下部右側面に取着される第１取付部材４１と、可動引出部材２の下部左側面に取着される第２取付部材４２とによって支持され、孔部４０に上下から軸部が挿入され、水平面内で右側に揺動自在に枢着されている。なお、可動引出部材２の下部には、窓部２９が開設され、揺動アーム部４の（左側の）突起部１４が窓部２９内に差込まれ、さらに、第２取付部材４２が窓部２９に挿通され可動引出部材２の右側で揺動アーム部４を下から支持している。
【００１５】
本発明のドリンクホルダーは、可動引出部材２の左右両側に揺動アーム部４を付替可能として構成されている。
図示省略するが、第１取付部材４１を可動引出部材２の下部左側面に取着し、第２取付部材４２を可動引出部材２の下部右側面に取着して、揺動アーム部４を左側にて揺動可能として取着する（付替える）。なお、図１〜図３に於て、回転体５は、引出し状態で、枠部２０を右側方に展開するように構成されているが、（ガイド片１２，１２を交換して）ガイド筒部２１の螺旋状凹溝部２２，２２の捩じりの向きを逆方向とすれば、枠部２０を左側方に展開するように構成できる。
つまり、本発明のドリンクホルダーは、ガイド片１２，１２を除いて、ほぼ全部品を共通部品として、左側用と右側用の両方向で使用可能に構成されている。即ち、遊技機Ｐがパチンコ機である場合には、枠部２０が右側方に展開する形態とし、また、遊技機Ｐがスロットマシーンである場合には、枠部２０を左側方に展開する形態として、左右両方向での使用に対応可能である。
【００１６】
上述した本発明のドリンクホルダーの使用方法（作用）について説明する。
図５に示すように、可動引出部材２が収納状態から引出される際、固定水平軸部１に沿ってガイド筒部２１が案内されてスライドし、先端部１Ａの小凸部１１，１１に凹溝部２２，２２が外嵌する。
次に、図６では、可動引出部材２がさらに引出され、小凸部１１，１１に対して螺旋状凹溝部２２，２２が摺接して、回転体５が回転する。回転体５の回転に伴って、枠部２０が右側に揺動する。
【００１７】
次に、図７に示すように、可動引出部材２が前方へ引出されるのに伴って、回転体５がさらに回転し、枠部２０が（右側に大きく）展開する。
そして、図８に於て、回転体５が９０度回転し、引出し状態となって、枠部２０が右側方に揺動して水平状姿勢となる。この際、揺動アーム部４は、突起部１４がケーシング３の前方開口部６の周縁部に当接して、右側に（自動的に）揺動し、展開状となる。
図４に示すように、引出し状態に於て、容器保持用枠部２０が揺動して右側方に偏在し、これと同時に、揺動アーム部４が右側方に揺動して枠部２０の下方位置に（自動的に）展開する。引出し状態で、枠部２０の上方から飲料容器Ｃを挿入し、飲料容器Ｃを揺動アーム部４上に載置して、（右側寄りに）保持する（図９参照）。
【００１８】
可動引出部材２が引出し状態から収納される際は、図８から図５に示すように、小凸部１１，１１に対して凹溝部２２，２２が摺接して、回転体５を逆方向に９０度回転させ、収納状態で枠部２０が鉛直状姿勢となる。この際、揺動アーム部４は、ケーシング３の前方開口部６に当接して、内側に収納される。
【００１９】
なお、本発明は、設計変更可能であって、例えば、可動引出部材２は、把手２４を他の形状としても良い。
【００２０】
以上のように、本発明に係るドリンクホルダーは、隣り合う遊技機Ｐ，Ｐの間に配設された間柱５０に装着されるドリンクホルダーであって、前方開口部６を有する縦長直方体形状のケーシング３と、ケーシング３に内設される固定水平軸部１と、ケーシング３に収納自在に前方開口部６から装入される可動引出部材２と、容器保持用枠部２０にガイド筒部２１が延設された略Ｐ字形状の回転体５とを、備え、ガイド筒部２１に固定水平軸部１を挿通すると共に回転体５を可動引出部材２に回転自在に保持させ、固定水平軸部１は、先端部１Ａ近傍に２個の小凸部１１，１１を有し、かつ、ガイド筒部２１の内周面に螺旋状凹溝部２２，２２が形成され、可動引出部材２が収納状態から引出される際、小凸部１１，１１に対して凹溝部２２，２２が摺接して回転体５が９０度回転しつつ引出し状態となって枠部２０が左右一側方に偏在して水平状姿勢となり、可動引出部材２が引出し状態から収納される際、小凸部１１，１１に対して凹溝部２２，２２が摺接して回転体５を逆方向に９０度回転させ収納状態で枠部２０が鉛直状姿勢となるように構成されたので、引出し状態で、容器保持用枠部２０が、左側方か右側方のどちらか一方に偏在して、左側用か右側用かを容易に判別できる。よって、遊技機の使用者が、自分の使用すべき側のドリンクホルダーを正しく使用できる。また、狭小なスペースで区切られた隣接する遊技機間に於て、幅寸法を小さく設計でき、かつ、容器保持用枠部２０が隣の使用者の邪魔になることを防止できる。また、ペットボトル等の背の高い容器であっても、枠部２０が、容器の上下方向中間位置を包囲状に支持し、確実に保持できる。
【００２１】
また、可動引出部材２の下部に、容器下部支持用の揺動アーム部４が水平面内で揺動自在に取着され、可動引出部材２が収納状態から引出される際、揺動アーム部４が左右一側方に揺動して容器保持用枠部２０の下方位置に展開するように構成されているので、枠部２０に挿入された容器が倒れるのを防止し、確実に保持できる。可動引出部材２の引出しに伴って、揺動アーム部４が自動的に展開して至便であり、しかも、枠部２０と干渉することなく展開・収納でき、狭幅スペースに設置できる。
【００２２】
また、可動引出部材２の左右両側に揺動アーム部４を付替可能とし、左側用と右側用の両方向で使用可能として構成されているので、複数台のパチンコ機の間に配設された間柱、あるいは、複数台のスロットマシーンの間に配設された間柱、の両方に装着でき、左右両方向での使用に対応できる。ガイド片１２，１２を除いて、ほぼ全部品を共通部品として、左側用と右側用に切換え可能であり、コストを低減できる。
【符号の説明】
【００２３】
１  固定水平軸部
１Ａ  先端部
２  可動引出部材
３  ケーシング
４  揺動アーム部
５  回転体
６  前方開口部
１１  小凸部
２０  枠部
２１  ガイド筒部
２２  凹溝部
５０  間柱
Ｐ  遊技機
【図１】
2015039533.tif 000003
【図２】
2015039533.tif 000004
【図３】
2015039533.tif 000005
【図４】
2015039533.tif 000006
【図５】
2015039533.tif 000007
【図６】
2015039533.tif 000008
【図７】
2015039533.tif 000009
【図８】
2015039533.tif 000010
【図９】
2015039533.tif 000011